(57)【要約】本発明は、唯一のバンド上に異なる時計ムーブメントを適合させて、バンド又は胴を開くことなく迅速に時計を取り換える又は反転させることができるようにするための装置を提供することを目的としている。この目的は、側方側（１０００）が開放して側方開口部（１０００）を通した反転及び交換可能な物体（４００）の導入及び取出しを可能にする支持要素の中で時計ケースなどの物体の反転及び交換を可能にする装置において、前記側方開口部が、支持要素（２００）の開放した側方側（１０００）上に調和よく適合されて、かくして支持要素（２００）のかんぬき機能を果たす反転及び交換可能な物体（４００）の一部分（４０１）によって閉じられ、支持要素（２００）内に反転及び交換可能な物体（４００）を保持するための閉鎖手段（５００）が含まれている装置によって達成される。該装置は、支持要素（２００）の部分（２０２、２０３）内にクリップ（３００）を固定することにより適合可能なバンドレス（１００）の解決法を可能にし、かくして、全体を装身具セットとして利用することができる。
2006520472.tif 000002
【特許請求の範囲】
【請求項１】
側方側（１０００）が開放して側方開口部（１０００）を通した物体（４００）の導入及び取出しを可能にする支持要素（２００）の中で時計ケースなどの物体（４００）の反転及び交換を可能にする装置において、前記側方開口部が、それ自体前記反転及び交換可能な物体（４００）を保持できるようにする閉鎖手段を有する支持要素（２００）の開放した前記側方側（１０００）上に調和よく適合されることになる前記反転及び交換可能な物体（４００）の一部分（４０１）によって閉じられている装置であって、前記閉鎖手段が、それ自体支持要素（２００）の内周上に位置づけされたレール（２０８）の内部に配置された少なくとも１つの誘導用小プレート（８２０）で構成されており、前記小プレート（８２０）が、一方では前記支持要素（２００）内への前記物体（４００）の完全な導入を可能にし、他方ではクリック動作により前記支持要素（２００）内に物体（４００）をしっかりと維持するような形の断面形状をもつ前面（９５０）を有することを特徴とする、装置。
【請求項２】
前記物体（４００）がその側（４１０、４２０、４３０）上に、前記レール（２０８）内に導入されるためのボス（４０２）を有し、前記ボス（４０２）は、前記物体が前記支持要素内を完全に摺動している場合に前記誘導用小プレート（８２０）の導入を可能にする垂直な凹部（４０３）を少なくとも１つ有しており、前記小プレート（８２０）の前記側面（９７０）が、前記物体（４００）を不動化することを目的とする曲率半径を有することを特徴とする、請求項１に記載の支持要素（２００）の中で時計ケースなどの物体（４００）の反転及び交換を可能にする装置。
【請求項３】
前記支持要素（２００）は、少なくとも一方がキャビティ（２０１）を有する２つの部分（２０２、２０３）を有しており、このキャビティ内に前記誘導用小プレート（８２０）と一体化した押しボタン（５００）が収納されることになることを特徴とする、請求項２に記載の支持要素（２００）の中で時計ケースなどの物体（４００）の反転及び交換を可能にする装置。
【請求項４】
前記支持要素（２００）の前記第１及び第２の部分（２０２、２０３）上にそれぞれ位置づけされた２つの押しボタン（５００）を有し、前記２つの押しボタン（５００）に同時に圧力が加えられた場合に前記支持要素（２００）から前記物体（４００）を切り離すことができることを特徴とする、請求項３に記載の支持要素（２００）の中で時計ケースなどの物体（４００）の反転及び交換を可能にする装置。
【請求項５】
前記反転及び交換可能な物体（４００）が一般に円形の形状を有することを特徴とする、請求項１〜４のいずれか一項に記載の支持要素（２００）の中で時計ケースなどの物体（４００）の反転及び交換を可能にする装置。
【請求項６】
前記反転及び交換可能な物体（４００）が互いに一体化された２つの時計ケースを有することを特徴とする、請求項１〜５のいずれか一項に記載の支持要素（２００）の中で時計ケースなどの物体（４００）の反転及び交換を可能にする装置。
【請求項７】
前記反転及び交換可能な物体（４００）が一方の面上に少なくとも１つの装飾要素を有することを特徴とする、請求項１〜６のいずれか一項に記載の支持要素（２００）の中で時計ケースなどの物体（４００）の反転及び交換可能な物体。
【請求項８】
前記支持要素（２００）が「Ｕ」又は「Ｃ」の形をしていることを特徴とする、請求項１〜７のいずれか一項に記載の支持要素（２００）の中で時計ケースなどの物体（４００）の反転及び交換を可能にする装置。
【請求項９】
前記支持要素（２００）が腕時計の開放胴であることを特徴とする、請求項１〜８のいずれか一項に記載の支持要素（２００）の中で時計ケースなどの物体（４００）の反転及び交換を可能にする装置。
【請求項１０】
請求項１〜９に記載の装置を含むことを特徴とする、時計。
【請求項１１】
請求項１〜７のいずれか一項に記載の装置の反転及び交換可能な要素を構成する時計ケース。
【請求項１２】
背中合わせに一体化された２つのケースの集合体で構成されていることを特徴とする、請求項１１に記載の時計ケース。
【発明の詳細な説明】
【技術分野】
【０００１】
本発明は、宝飾品及び時計類の分野、より特定的には支持体との関係において物体特に時計の反転及び交換を可能にする装置に関する。
【背景技術】
【０００２】
モジュール式時計の市場は大きく成長していることから、増々多くの時計メーカーがモジュールの利用に基づく製品を提供している。
【０００３】
モジュール式時計の機能モジュールは特に、バンド、時計ケース及び支持要素である。これらの機能モジュールに対し、当然のことながら、前記機能モジュールの上に特に位置づけできる一連の装飾要素の一部を成す全ての構成部品が加わる。かくして、モジュール式装置を求めている時計のユーザーは、その時々の自らの希望に従って時計を変貌させることができる。
【０００４】
時計バンドは、一般に手首をとり囲み、ムーブメントが内部で動作している胴を支持する前記ケースのラグ内に固定される小ネジ又はバネ棒といったような固定用要素を介して、時計ケースに適合させられる装身具セットである。
【０００５】
時計ケースをその支持体上に導入し固定するためには、レバーにより閉じられた支持体を形成するケース支持体の中に側方に時計ケースが導入される日本特許公開第２００１０９１６７２号明細書の中で例示されている通りの装置を利用することが知られている。このレバーがひとたび不動化されると、時計ケースは完全に支持体によりとり囲まれ、かくして固定される。
【０００６】
かかる装置は、レバーの旋回点を中心として脆くかつ製作が困難である。実際、小さな直径のロッドを中心とした閉鎖レバーの回転は、このロッドの偶発的な脱出をひき起こす可能性があり、又最悪の場合には、このロッドが破断し、かくしてレバーの開放、ひいては時計ケースの偶発的な脱出がひき起こされる可能性がある。
【０００７】
この装置の主たる欠点は、高い精度ひいては高い製造コストを必要とする構成部品の脆性にある。  
【発明の開示】
【発明が解決しようとする課題】
【０００８】
本発明の目的は、操作が容易で、信頼性が高く、補強され、かつ支持体との関係において特に時計ムーブメントを担持する時計ケースの側方導入及び取出しを可能にする装置を提供することにある。
【課題を解決するための手段】
【０００９】
この目的は、側方側（１０００）が開放して側方開口部（１０００）を通した反転及び交換可能な物体（４００）の導入及び取出しを可能にする支持要素の中で時計ケースなどの物体の反転及び交換を可能にする装置において、この側方開口部が、支持要素の開放した側方側上に調和良く適合されて、かくして支持要素のかんぬき機能を果たす反転及び交換可能な物体の一部分によって閉じられ、支持要素内に反転及び交換可能な物体を保持するための閉鎖手段が含まれている装置によって達成される。
【００１０】
開放された支持要素との関係において特に時計ケースの反転及び交換を可能にする本発明に従った装置は、有利にも、バンド、例えば開放胴といった支持要素、時計ケース及び少なくとも１つの閉鎖用押しボタンで構成されている。
【００１１】
時計のケースは、その支持体内に側方向に導入され、ケースがその収納部の中で行程の最後に到達した時点で装置全体を不動化する少なくとも１つの閉鎖用押しボタンによってこの支持体と一体化される。バンドに対する胴の組立ては、例えばこのバンドを支持要素に固定するネジを用いて従来通りに行なわれる。
【００１２】
典型的な例では、ユーザーは、腕時計の代わりにクリップ式時計又は枕元用小型時計を利用することができる。
【００１３】
なお、本発明の目的である装置は、時計ケース又は反転可能及び交換可能な２つのケースの集合体を有する。
【００１４】
本発明は、添付図面を参照した以下の一例としての記述によりさらに良く理解できることだろう。
【発明を実施するための最良の形態】
【００１５】
支持体との関係において特に時計の反転及び交換を可能にする装置は、時計ケース（４００−図１）、内部に側方向にケース（４００）が導入される「Ｕ」字形の支持体（２００−図１）、装置を不動化するための少なくとも１つの閉鎖用押しボタン（５００−図１）及びバンド（１００−図２）で構成されている。
【００１６】
図２は、腕時計の場合、中に時計ムーブメント（４０４）が挿入される、支持体との関係において特に時計の反転及び交換を可能にする装置を構成する要素の集合体を例示する。
【００１７】
図３、４、及び５に詳細に例示された支持要素（２００）は、互いに湾曲部分（２０４）により連結され、かくして前記支持体（２００）に「Ｕ」又は「Ｃ」の形状を付与する２つの直線部分（２０２、２０３）を有する。直線部分（２０２、２０３）は、その外部長さ全体にわたって、バンド（１００）の端部（１１１−図１０）の導入を可能にする溝（２１０）、及び押しボタン（５００）が収納されている上部面上のキャビティ（２０１）を有している。
【００１８】
支持要素（２００）の内部は、レールと呼ばれる半円形のフライス加工（２０８）を有し、その中には、前記押しボタン（５００）がバネ（８４０）を圧縮してキャビティ（２０１）内に導入された後ネジ（８３０）により押しボタン（５００）に固定されることになる誘導用小プレート（８２０）の導入を可能にするべくキャビティ（２０１）に直交するキャビティ（８１２）が機械加工されている。
【００１９】
支持体（２００）の側（１０００−図５）は、時計ケース（４００）の導入を可能にするため、開放した状態にとどまる。
【００２０】
図７に例示されている時計ケース（４００）は２つの湾曲側面（４０１、４３０）によって互いに連結された２つの直線側（４１０、４２０）を有する。時計ケース（４００）を誘導するべくレール（２０８）内に導入されるための半円形のボス（４０２）が側（４１０、４２０、４３０）上にフライス加工されている。
【００２１】
ボス（４０２）は、その側（４１０、４２０）上に、誘導用小プレート（８２０）の導入を可能にする垂直な凹部（４０３）を担持しており、これは、支持要素（２００）内に時計ケース（４００）を不動化する目的をもつ。
【００２２】
側（４０１）は、ボス（４０２）を担持しておらず、支持要素（２００）の開放側（１０００）上に調和良く適合しているという点に留意されたい。
【００２３】
図８は、閉鎖用押しボタン（５００）内に導入されるための誘導用ピン（９０３）により占有されている特に矩形表面の背面（９５０）、２つの側面（９６０、９７０）及び前面（９５０）を有する誘導用小プレート（８２０）を例示している。
【００２４】
固定ネジ（８３０）を収容するための中央オリフィス（９０２）が誘導用小プレート（８２０）を貫通しているという点に留意されたい。
【００２５】
誘導用小プレート（８２０）の前面（９５０）は、側面（９６０）がその反対側にある側面（９７０）の直線部分（９１１）よりも短かい直線部分（９００）を有するような形で機械加工されている。この機械加工は、側面（９７０）の曲率半径（９１２）まで漸進的に側面（９６０）の曲率半径（９０４）を増大させることによって得られる。この機械加工の結果、誘導用小プレート（８２０）の上部面（９０８）との関係において非対称の稜（９０７）が得られ、前記稜（９０７）は、その側面（９７０）により時計ケース（４００）のボス（４０２）を誘導し、誘導用小プレート（８２０）が前記ボス（４０２）の溝（４０３）の中に導入された時点でその側面（９６０）により時計ケース（４００）を不動化するのに役立つ。
【００２６】
図９に例示されている通りの閉鎖用押しボタン（５００）は、装置を解放するためにユーザーが押すべき上部面（５０５）、押しボタン（５００）を装置の不動化位置に維持するバネ（８４０）が中に収納されている下部面（５０６）、誘導用小プレート（８２０）が中に収納されているフライス加工（５０７）をもつ前面（５０３）、行程制限用ネジ（８６０−図６）が中に収納されているすきま（５２０）をもつ背面（５０４）及び押しボタン（５００）の背面及び前面を結びつける２つの側面（５０１、５０２）を有する。
【００２７】
フライス加工（５０７）がその中心に、誘導用小プレート（８２０）のピン（９０３）を収容することを目的とする中ぐり（５２１）を有し、この中ぐり（５２１）には、固定ネジ（８３０）の端部が中に収納される中央オリフィス（５０８）が備わっていることを指摘しておきたい。
【００２８】
バンド（１００）は特に従来の通りのものである。その端部（１１１）は、支持要素（２００）の直線部分（２０２、２０３）の中に導入され、特に図１０に例示されているように固定用小プレート（１１０）及びネジ（２０５）によって保持されている。
【００２９】
圧縮バネ（８４０）は、専用に設けられかつ支持要素（２００）の直線部分（２０２、２０３）上に位置づけされたキャビティ（２０１）の延長部分（８９０−図６）の中に導入される。
【００３０】
閉鎖用押しボタン（５００）は、バネ（８４０）上に配置され、これらのバネ（８４０）は前記押しボタン（５００）の中にこれらの押しボタンの下部面（５０６）を通って導入されることになる。
【００３１】
押しボタン（５００）の上部面（５０５）を押すことにより、押しボタン（５００）のすきま（５２０）内にあるキャビティ（８８０−図６）が行程制限ネジ（８６０）の正面に位置づけされるまでバネ（８４０）が圧縮され、こうして、前記キャビティ（８８０）内にネジ（８６０）を導入することで、キャビティ（２０１）から押しボタン（５００）が脱出するのを妨げ、バネ（８４０）を圧縮状態に維持し、キャビティ（８８０）の１つの壁からもう１つの壁まで押しボタン（５００）の行程を制限することが可能となる。押しボタン（５００）をその内部作用位置に押し込んだ時点でネジ（８６０）にキャビティ（８８０）の上部壁が突き当たる一方、キャビティ（８８０）の下部壁は、押しボタン（５００）をその外部休止位置で放した時点で、ネジ（８６０）に突き当たる。
【００３２】
押しボタン（５００）がその休止位置にきた時点で、前記押しボタン（５００）のすきま（５０７）は支持要素（２００）の直線部分（２０２、２０３）のキャビティ（８１２）上に位置づけされ、かくして押しボタン（５００）のキャビティ（５２１）内に挿入される小プレート（８２０）のピン（９０３）によって位置づけされる誘導用小プレート（８２０）の導入が可能となる。このとき全体はネジ（８３０）によって一体化される。
【００３３】
小プレート（８２０）の面（９７０）は、小プレート（８２０）の半径（９１２）がガイド（２０８）の半径に対応するように、支持要素（２００）の側（１０００）に位置づけされるということに留意されたい。
【００３４】
時計ケース（４００）は、レール（２０８）の中にガイド（４０２）の直線横部分を入れることによって支持要素（２００）の開放側（１０００）から導入される。このとき、このレールは、前記ガイド（４０２）を用いて、ケース（４００）の導入を誘導する。
【００３５】
ガイド（４０２）の横部分は、誘導用小プレート（８２０）の中に導入され、レール（２０８）内を移動しながら前記小プレート（８２０）の稜（９０７）に当たり、このことは、バネ（８４０）を圧縮しながら押しボタン（５００）をその内部作用位置に押し戻す効果をもつ。
【００３６】
小プレート（８２０）及び溝（４０３）が整列した時点で、バネ（８４０）は、押しボタン（５００）をその休止位置へと押しやり、これは、小プレート（８２０）の面（８６０）を溝（４０３）の内縁部に対置させ、かくして時計ケース（４００）を支持要素（２００）の中に不動化させる効果をもつ。
【００３７】
時計ケース（４００）のロック位置において、ガイドをもたず機械加工を受けていない部分（４０１）は、支持要素（２００）の開放した開放側（１０００）に調和よく適合させられ、かくして支持体（２００）のかんぬきの機能を果たす。
【００３８】
装置を解放するためには、押しボタン（５００）を、ガイド（４０２）が誘導用小プレート（８２０）の丸くなった部分（９０４）の中に導入され得るように同時に押す。かくして、ガイド（４０２）はケース（４００）を引き抜き方向に誘導することができる。
【００３９】
一実施形態においては、支持要素中で時計ケースなどの物体の反転及び交換を可能にする装置は、互いとの関係において背中合せに一体化された２つの時計ケース（４００）を有している。
【００４０】
支持体との関係における特に時計の反転及び交換を可能にする装置は、図１１により例示されているケースにおいて、時計を装身具セットとして装着するか又は枕元用小型時計として利用する目的でバンド（１００）に置き換わるクリップ（３００）を有するという点に留意されたい。クリップ（３００）は例えば、支持要素（２００）の直線部分（２０２、２０３）の１つに固定され、反対側の部分に向かって延び、ケース（４００）が支持要素（２００）内に挿入された時点でこのケースの背面に当たることになる。枕元用小型時計として利用するためには、その他の形状の支持要素（２００）を考慮することが可能である。
【図面の簡単な説明】
【００４１】
【図１】組立てられていない本発明の構成部品の斜視図を表わす。
【図２】組立てられバンドに固定された本発明の構成部品の斜視図を表わす。
【図３】組立てられた閉鎖用押しボタン及び分解組立図の第２の閉鎖用押しボタンを有する支持要素の斜視図を表わす。
【図４】図３の分解組立図で表わされた閉鎖用押しボタンの拡大図を表わす。
【図５】組立てられた２つの閉鎖用押しボタンを有する支持要素の上面図を表わす。
【図６】閉鎖用押しボタンの支持要素内への取付け後の図５の軸Ａ−Ａ'に沿った断面図を表わす。
【図７】時計ムーブメントが中に挿入された時計ケースの斜視図を表わす。
【図８】斜視図で誘導用小プレートを表わす。
【図９】斜視図で閉鎖用押しボタンを表わす。
【図１０】バンド及び支持要素の集合体の下面斜視図を表わす。
【図１１】本発明の一変形形態であるクリップ式時計の斜視図を表わす。
【図１】
2006520472.tif 000003
【図２】
2006520472.tif 000004
【図３】
2006520472.tif 000005
【図４】
2006520472.tif 000006
【図５】
2006520472.tif 000007
【図６】
2006520472.tif 000008
【図７】
2006520472.tif 000009
【図８】
2006520472.tif 000010
【図９】
2006520472.tif 000011
【図１０】
2006520472.tif 000012
【図１１】
2006520472.tif 000013
【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
支持要素（２００）の中で時計ケースなどの物体（４００）の反転及び交換を可能にする装置において、前記支持体（２００）が側方側（１０００）で開放して、側方開口部（１０００）を通した前記物体（４００）の導入及び取出しを可能にし、前記側方開口部は、支持要素（２００）の前記開放した側方側（１０００）上に調和よく適合されることになる前記反転及び交換可能な物体（４００）の一部分（４０１）により閉じられており、前記物体（４００）が、その周囲（４１０、４２０、４３０）の一部分の上に、物体（４００）をロックできるようにする閉鎖手段をそれ自体有する前記支持要素（２００）の前記内部表面上に配置されたレール（２０８）の中に導入されるためのボス（４０２）を有している装置であって、前記閉鎖手段が、前記支持要素の一部分（２０２、２０３）上に位置づけされた第１のキャビティ（２０１）の中に配置された少なくとも１つの押しボタン（５００）を有し、前記押しボタン（５００）の前記下部部分上に配置された誘導用前面（９５０）が前記物体（４００）の前記ボス（４０２）と連動できるようにするべく前記第１のキャビティ（２０１）に対し直交して前記レール（２０８）の中に第２のキャビティ（８１２）が機械加工されており、前記誘導用前面（９５０）は、前記支持要素（２００）内に前記物体が導入された場合に前記物体（４００）の前記ボス（４０２）の前記端部により及ぼされる力によって垂直に降下され得るような形の断面形状を有しており、前記ボス（４０２）は、前記面（９５０）の横部分（９７０）の一部分が凹部（４０３）の前記側方側と並置され、かくして前記支持要素（２００）の中に前記物体（４００）をロックするように、物体（４００）が行程の終りにきた時点でバネ（８４０）の作用下で前記押しボタン（５００）が再度上昇できるようにする少なくとも１つの前記凹部（４０３）を有しており、前記誘導用前面（９５０）は、前記横部分（９７０）の前記一部分が前記凹部（４０３）の前記側方側ともはや並置されなくなり、かくして前記物体（４００）を前記支持要素（２００）から切り離すことができるようにするように、前記押しボタン（５００）上に圧力が加わった時点で垂直に降下させられることを特徴とする、装置。
【請求項２】
前記閉鎖手段が、前記支持要素（２００）の前記第１及び第２の部分（２０２、２０３）上にそれぞれ位置づけされた２つの押しボタン（５００）を有し、前記物体（４００）が前記ボス（４０２）上でその側面（４１０、４２０）上の凹部（４０３）を有しており、前記２つの押しボタン（５００）上に同時に圧力が加わった時点で前記物体（４００）を切り離すことができることを特徴とする、請求項１に記載の装置。
【請求項３】
前記面（９５０）が、前記押しボタン（５００）の前記下部部分と一体化した誘導用小プレート（８２０）上に製作されていることを特徴とする、請求項２に記載の装置。
【請求項４】
前記物体（４００）が一般に円形の形状を有することを特徴とする、請求項１〜３のいずれか一項に記載の装置。
【請求項５】
前記物体（４００）が互いに一体化された２つの時計ムーブメントを有することを特徴とする、請求項１〜４のいずれか一項に記載の装置。
【請求項６】
前記物体（４００）が一方の面上に少なくとも１つの装飾要素を有することを特徴とする、請求項１〜５のいずれか一項に記載の装置。
【請求項７】
前記支持要素（２００）が「Ｕ」又は「Ｃ」の形をしていることを特徴とする、請求項１〜６のいずれか一項に記載の装置。
【請求項８】
前記支持要素（２００）が腕時計の開放胴であることを特徴とする、請求項１〜７のいずれか一項に記載の装置。
【請求項９】
請求項１〜８に記載の装置を含むことを特徴とする、時計。
【請求項１０】
請求項１〜６のいずれか一項に記載の装置の反転及び交換可能な要素を構成する時計ケース。
【請求項１１】
背中合わせに一体化された２つのケースの集合体で構成されていることを特徴とする、請求項１０に記載の時計ケース。
【国際調査報告】
2006520472.tif 000014
2006520472.tif 000015
2006520472.tif 000016
2006520472.tif 000017
2006520472.tif 000018
2006520472.tif 000019